(57)【要約】【課題】軒樋の取り付け及び取り外しの作業性を向上させる軒樋支持具を提供する。【解決手段】軒樋５の前壁部５ｄ及び後壁部５ｂの上端縁に形成された前耳５ｅ及び後耳５ｃを、それぞれ前耳収容凹所４及び後耳収容凹所３に収容させて軒樋５を支持する軒樋支持具１であって、取付対象に固定される固定部１１から前方に向けて突出し、少なくとも前端側に雄ねじ部１２ｂを有する軸部１２が設けられた固定部材１０と、軸部１２に吊下支持される第１支持部材１３と、第１支持部材１３の前方において軸部１２に吊下支持され、第１支持部材１３とによって後耳収容凹所３を形成する第２支持部材１６と、第２支持部材１６の前方において軸部１２に吊下支持され、第２支持部材１６とによって前耳収容凹所４を形成する第３支持部材２０と、雌ねじ部２１ａを有する締結部２１と、を備えており、軸部１２の前端側に締結部２１が締結されることで、第１支持部材１３、第２支持部材１６及び第３支持部材２０が互いに固定される。【選択図】図１
2018199948.tif 000002
【特許請求の範囲】
【請求項１】
軒樋の前壁部及び後壁部の上端縁に形成された前耳及び後耳を、それぞれ前耳収容凹所及び後耳収容凹所に収容させて軒樋を支持する軒樋支持具であって、
取付対象に固定される固定部から前方に向けて突出し、少なくとも前端側に雄ねじ部を有する軸部が設けられた固定部材と、前記軸部に吊下支持される第１支持部材と、前記第１支持部材の前方において前記軸部に吊下支持され、該第１支持部材とによって前記後耳収容凹所を形成する第２支持部材と、前記第２支持部材の前方において前記軸部に吊下支持され、該第２支持部材とによって前記前耳収容凹所を形成する第３支持部材と、雌ねじ部を有する締結部と、を備えており、
前記軸部の前端側に前記締結部が締結されることで、前記第１支持部材、前記第２支持部材及び前記第３支持部材が互いに固定されることを特徴とする軒樋支持具。
【請求項２】
請求項１において、
前記締結部と前記第３支持部材とは一体とされており、
前記軸部は、固定部に対して軸廻りに回転自在とされ、前端部に該軸部を回転させる工具の先端に係合する係合部が設けられていることを特徴とする軒樋支持具。
【発明の詳細な説明】
【技術分野】
【０００１】
本発明は軒樋支持具に関する。
【背景技術】
【０００２】
従来より、軒先に配される軒樋を支持する軒樋支持具が知られている。このような軒樋支持具としては、軒樋の前後に設けられた耳部をそれぞれ係止し、軒樋を吊下支持する構成とされたものがある（たとえば、特許文献１参照）。
この特許文献１では、支持本体部の一端に設けられた係合爪部に、軒樋のフック状の一方の耳部を差し込んで引っ掛け、支持本体部の他端に設けられた弾性板を押しのけて他方の耳部をこの耳部が係合される領域に挿入して軒樋を支持する軒樋支持具が開示されている。
【先行技術文献】
【特許文献】
【０００３】
【特許文献１】特開２０１５−４８６８０号公報
【発明の概要】
【発明が解決しようとする課題】
【０００４】
しかしながら、このような軒樋支持具では、軒樋を取り付ける際に、長尺状の軒樋の長さ方向に複数設けられた軒樋支持具の係合爪部に、一度に一方の耳部を引っ掛け、また、複数の弾性板を一度に押しのけて他方の耳部を係止する必要があり、取り付け難いようなことが考えられる。また、軒樋を取り外す際には、他方の耳部を係止する弾性板を変形させる必要があり、取り外し難いようなことが考えられる。
【０００５】
本発明は、このような事情を考慮して提案されたもので、その目的は、軒樋の取り付け及び取り外しの作業性を向上させる軒樋支持具を提供することにある。
【課題を解決するための手段】
【０００６】
上記目的を達成するために、請求項１に記載の軒樋支持具は、軒樋の前壁部及び後壁部の上端縁に形成された前耳及び後耳を、それぞれ前耳収容凹所及び後耳収容凹所に収容させて軒樋を支持する軒樋支持具であって、取付対象に固定される固定部から前方に向けて突出し、少なくとも前端側に雄ねじ部を有する軸部が設けられた固定部材と、前記軸部に吊下支持される第１支持部材と、前記第１支持部材の前方において前記軸部に吊下支持され、該第１支持部材とによって前記後耳収容凹所を形成する第２支持部材と、前記第２支持部材の前方において前記軸部に吊下支持され、該第２支持部材とによって前記前耳収容凹所を形成する第３支持部材と、雌ねじ部を有する締結部と、を備えており、前記軸部の前端側に前記締結部が締結されることで、前記第１支持部材、前記第２支持部材及び前記第３支持部材が互いに固定されることを特徴とする。
【０００７】
請求項２に記載の軒樋支持具は、前記締結部と前記第３支持部材とが一体とされており、前記軸部が、固定部に対して軸廻りに回転自在とされ、前端部に該軸部を回転させる工具の先端に係合する係合部が設けられている。
【発明の効果】
【０００８】
請求項１に記載の軒樋支持具によれば、上述した構成となっているため、軸部の前端側を締結部によって締結することで、軸部に対して固定された第１支持部材、第２支持部材及び第３支持部材によって、軒樋を強固に支持することができる。
【０００９】
また、軒樋の前耳及び後耳を、互いに別部材とされた各支持部材によって形成される耳収容凹所に収容させて軒樋を支持する構成としているので、例えば、軒樋の長さ方向に複数設けられた軒樋支持具に対して、一度に軒樋の耳をばね材に押し込んで耳収容部に収容させたり、フックに引っ掛けて支持させるようなものと比べて、容易に軒樋を取り付け、また、取り外しすることができる。
【００１０】
請求項２に記載の軒樋支持具によれば、上述した構成となっているため、ナット等を用いて軸部を締結するようなものと比べて、構成を簡略化することができる。
また、第３支持部材に対して軸部を回転させることで容易に軸部と第３支持部材とを締結することができる。
【図面の簡単な説明】
【００１１】
【図１】（ａ）は本発明の一実施形態に係る軒樋支持具の側面図であり、（ｂ）は、同軒樋支持具の分解側面図である。
【図２】（ａ）、（ｂ）は同軒樋支持具の軒樋の取り付け手順を示した側面図である。
【図３】同軒樋支持具の分解斜視図である。
【発明を実施するための形態】
【００１２】
以下に、本発明の実施の形態に係る軒樋支持具について、添付図面をもとに説明する。
【００１３】
本軒樋支持具１は、図１に示すように、軒樋５の前壁部５ｄ及び後壁部５ｂの上端縁に形成された前耳５ｅ及び後耳５ｃを、それぞれ前耳収容凹所４及び後耳収容凹所３に収容させて軒樋５を支持するようにしたものである。
この軒樋支持具１は、取付対象としての軒先２等に取り付けられる。図例では、軒樋支持具１を、軒先２を構成する壁面に取り付けた例を示している。
また、軒樋支持具１は、軒樋５の長手方向に沿って複数設けられて軒樋５を支持することが望ましい。
【００１４】
軒樋５は、長尺状の角樋とされ、上方に開口する角溝状とされている。
この軒樋５の底壁部５ａから立ち上がる前壁部５ｄ及び後壁部５ｂの上端縁には、全長に亘って前後の耳（前耳５ｅ及び後耳５ｃ）が、外側に膨出するように形成されている。これら前耳５ｅ及び後耳５ｃは、側面視略矩形状とされている。また、図例では、前耳５ｅを、後耳５ｃよりも上方に位置させた例を示している。
【００１５】
軒樋支持具１の前耳収容凹所４及び後耳収容凹所３は、前耳５ｅ及び後耳５ｃに応じた形状とされている。つまり、本実施形態では、これら前耳収容凹所４及び後耳収容凹所３は、軒樋５の前耳５ｅ及び後耳５ｃに応じた側面視略矩形状とされている。
【００１６】
軒樋支持具１は、取付対象である軒先２に固定される固定部１１から前方に向けて突出し、少なくとも前端側に雄ねじ部１２ｂを有する軸部１２が設けられた固定部材１０を備えている。
また、軒樋支持具１は、軸部１２に吊下支持される第１支持部材１３と、この第１支持部材１３の前方において軸部１２に吊下支持され、第１支持部材１３とによって後耳収容凹所３を形成する第２支持部材１６と、この第２支持部材１６の前方において軸部１２に吊下支持され、第２支持部材１６とによって前耳収容凹所４を形成する第３支持部材２０と、を備えている。
【００１７】
また、軒樋支持具１は、雌ねじ部２１ａを有する締結部２１を備えており、軸部１２の前端側に締結部２１が締結されることで、第１支持部材１３、第２支持部材１６及び第３支持部材２０が互いに固定される構成とされている。
【００１８】
固定部材１０は、図３に示すように、取付対象である軒先２に沿って固定される固定部１１と、この固定部１１から、前方に突出する長尺状の軸部１２と、を備えている。
固定部１１は、取付対象である軒先２に沿って配される略板状とされ、軸部１２が設けられるベース部１１ａの両側に、取付対象である軒先２に固定される固定片部１１ｂ，１１ｂがそれぞれ設けられている。これら固定片部１１ｂ，１１ｂには、止具が挿通される止具挿通孔１１ｃ，１１ｃが、上下に形成されている。
【００１９】
軸部１２は、前後方向に軸方向を沿わせた棒状とされている。
また、本実施形態では、軸部１２を、固定部１１に対して軸廻りに回動自在としている。
本実施形態では、後端部に頭部１２ａが設けられた軸部１２を、固定部１１のベース部１１ａに形成された挿通孔に挿通させて取り付けた構成としている。また、固定部１１には、図３に示すように、後方に開口し、軸部１２の頭部１２ａを収容する凹所が設けられている。
また、本実施形態では、図１に示すように、軸部１２の前端部が、第３支持部材２０の前端部よりも後方に位置する構成としている。このような構成とすれば、下方から見て、軸部１２の前端部が隠れるので、意匠上の観点から望ましいものとすることができる。
【００２０】
また、本実施形態では、軸部１２の略全長に雄ねじ部１２ｂを形成した構成としている。つまり、軸部１２をボルト状としている。なお、このような態様に限られず、軸部１２の前端側のみに雄ねじ部１２ｂを形成した構成としてもよい。
また、本実施形態では、図２（ｂ）に示すように、軸部１２の前端部に、軸部１２を回転させる工具６の先端に係合する係合部１２ｃを設けた構成としている。
図例では、この係合部１２ｃを、マイナスドライバーとしての工具６の先端に係合する凹溝状とした例を示している。なお、係合部１２ｃはこのような態様に限られず、プラスドライバーの先端に係合する形状としてもよく、その他種々の工具に係合する形状としてもよい。
【００２１】
第１支持部材１３は、図３に示すように、軸部１２に吊下支持される被支持部１４と、この被支持部１４の下方に設けられ、後耳収容凹所３を構成する凹部１５と、を備えている。
被支持部１４は、軸部１２に挿通される挿通孔１４ａが形成されており、この挿通孔１４ａを介して軸部１２に吊下支持される。
本実施形態では、被支持部１４を、前後方向に開口する円筒状とした構成としている。
この円筒状とされた被支持部１４の前後寸法は、軒樋５の取付対象である軒先２からの前後方向の出具合に応じて適宜、設定するようにしてもよい。
【００２２】
凹部１５は、前方及び上方に開口する構成とされている。
この凹部１５は、被支持部１４の下端部に連なり下方に垂れ下がる側壁部１５ａと、この側壁部１５ａの下端から前方に突出する底壁部１５ｂと、からなる側面視略Ｌ字状の部位によって区画されている。
また、本実施形態では、凹部１５の底壁部１５ｂの前端から下方に垂れ下がる垂下片部１５ｃを設けた構成としている。この垂下片部１５ｃは、軒樋５が支持された状態で、軒樋５の後壁部５ｂに沿うように形成されている。
【００２３】
本実施形態では、これら側壁部１５ａ、底壁部１５ｂ及び垂下片部１５ｃを帯板状としている。
なお、図１、２に示したように、軒樋５の後耳５ｃを後耳収容凹所３に収容させた状態で、後耳５ｃを下方に押さえつける弾性部を側壁部１５ａに設けてもよい。
【００２４】
なお、本実施形態では、被支持部１４を円筒状とした例を示しているが、このような態様に限られず、例えば、側壁部１５ａの上端部に、前後方向に開口する挿通孔を設け、この挿通孔に軸部１２を挿通させて第１支持部材１３を支持させる構成としてもよい。
また、図例では、垂下片部１５ｃを、軒樋５の後壁部の上端側に沿わせるように設けた例を示しているが、例えば、垂下片部１５ｃを軒樋５の後壁部の上下方向全体に沿わせるように設け、この垂下片部１５ｃの下端から突出するように設けた突片部によって軒樋５の底壁部５ａを支持させ、仮保持可能な構成としてもよい。
【００２５】
第２支持部材１６は、図３に示すように、前後方向に延びる水平片部１７と、この水平片部１７の後端に設けられ、軸部１２に吊下支持される被支持部１８と、水平片部１７の前端に設けられ、前耳収容凹所４を構成する凹部１９と、を備えている。
本実施形態では、第１支持部材１３と同様、これら水平片部１７、被支持部１８及び凹部１９を帯板状としている。
【００２６】
水平片部１７は、前後寸法が、軒樋５の開口幅寸法と略同寸法とされている。なお、図例では、水平片部１７を水平状の部材としているが、このような水平部材に限らない。
被支持部１８は、水平片部１７の後端から上方に立ち上がるように形成されている。
この被支持部１８は、上端部に、軸部１２に挿通される挿通孔１８ａが形成されており、この挿通孔１８ａを介して軸部１２に吊下支持される。
また、本実施形態では、被支持部１８と、第１支持部材１３の凹部１５と、によって後耳収容凹所３が構成される。つまり、本実施形態では、図１（ａ）に示すように、後耳収容凹所３は、第１支持部材１３の側壁部１５ａ、底壁部１５ｂ及び被支持部１８によって区画されている。
【００２７】
凹部１９は、前方及び下方に開口する構成とされている。
この凹部１９は、水平片部１７の前端から上方に立ち上る側壁部１９ａと、この側壁部１９ａの上端から前方に突出する天壁部１９ｂと、からなる側面視略倒Ｌ字状の部位によって区画されている。
【００２８】
第３支持部材２０は、締結部２１と、この締結部２１の下方に設けられ、前耳収容凹所４を構成する凹部２２と、を備えている。
また、本実施形態では、締結部２１と第３支持部材２０とを一体としている。
また、本実施形態では、第１支持部材１３及び第２支持部材１６と同様、凹部２２を帯板状としている。
【００２９】
締結部２１は、前後方向に開口し、軸部１２が挿通される挿通孔に雌ねじ部２１ａが設けられている。
本実施形態では、締結部２１を、第１支持部材１３の被支持部１４と略同様、前後方向に開口する円筒状としている。
凹部２２は、後方に開口する構成とされている。
この凹部２２は、締結部２１の下端部に連なり、前方に突出する天壁部２２ａと、この天壁部２２ａの前端から下方に垂れ下がる側壁部２２ｂと、この側壁部２２ｂの下端から後方に突出する底壁部２２ｃと、からなる側面視略コ字状の部位によって区画されている。
【００３０】
本実施形態では、この凹部２２と、第２支持部材１６の凹部１９と、によって前耳収容凹所４が構成される。つまり、本実施形態では、図１（ａ）に示すように、前耳収容凹所４は、側壁部２２ｂ、底壁部２２ｃ及び第２支持部材１６の側壁部１９ａ及び天壁部１９ｂによって区画されている。
また、本実施形態では、第３支持部材２０が軸部１２に対して固定された状態で、第２支持部材１６の天壁部１９ｂの前端が、第３支持部材２０の側壁部２２ｂに接する構成とされている。
【００３１】
次いで、この軒樋支持具１に対する軒樋５の取付態様について説明する。
まず、図１（ｂ）に示すように、取付対象である軒先２に取り付けられた固定部材１０の軸部１２に、第１支持部材１３の被支持部１４を挿通させて吊下支持させる。
【００３２】
次いで、第１支持部材１３の凹部１５に、軒樋５の後耳５ｃを配し、軸部１２に、第２支持部材１６の被支持部１８を挿通させて吊下支持させる。
次いで、図２に示すように、軸部１２の前端部に第３支持部材２０を配し、この第３支持部材２０を手指等で保持した状態で、締結部２１に対して工具６を介して軸部１２を軸廻りに回転させることで、締結部２１に対して軸部１２を螺合させる。
これにより、軸部１２に対して第３支持部材２０が、後方に移動し、第１支持部材１３、第２支持部材１６及び軒樋５が後方へ押し付けられるような状態となり、これら第１支持部材１３、第２支持部材１６及び第３支持部材２０が互いに固定される。
【００３３】
また、軒樋５を取り外す場合には、軸部１２を、第３支持部材２０の締結部２１の締結を解除するように回転させ、軸部１２に対して第１支持部材１３、第２支持部材１６、第３支持部材２０及び軒樋５を取り外せばよい。
なお、上記した取付態様は一例であり、これに限られない。例えば、軸部１２に、第１支持部材１３の被支持部１４を挿通させた際に、例えば、ナット等の締結部材を、別途、第１支持部材１３の前方側に配し、第１支持部材１３を固定するようにしてもよい。
【００３４】
以上のように、本実施形態では、１つの軸部１２を介して、互いに分離された第１支持部材１３、第２支持部材１６及び第３支持部材２０を互いに固定することができ、軒樋５の取り付け及び取り外しの作業性を向上させることができる。
また、例えば、ばね材で軒樋の耳を固定するようなものと比べて、強固に軒樋５を支持することができる。
【００３５】
なお、上記実施形態では、締結部２１と第３支持部材２０とを一体とした例を示しているが、このような態様に限られず、例えば、第３支持部材２０に第１支持部材１３と略同様な被支持部を設け、この第３支持部材２０の前方側において、別途、ナット等の締結部により締結する構成としてもよい。
この場合は、軸部１２を固定部１１に対して回転不能とし、軸部１２に対して締結部を回動させるようにしてもよい。
また、上記実施形態では、軒樋５を角樋とした例を示したが、丸樋としてもよい。
【符号の説明】
【００３６】
１      軒樋支持具
２      軒先
３      後耳収容凹所
４      前耳収容凹所
５      軒樋
５ａ    底壁部
５ｂ    後壁部
５ｃ    後耳
５ｄ    前壁部
５ｅ    前耳
１０    固定部材
１１    固定部
１２    軸部
１２ｂ  雄ねじ部
１２ｃ  係合部
１３    第１支持部材
１４    被支持部
１５    凹部
１６    第２支持部材
１７    水平片部
１８    被支持部
１９    凹部
２０    第３支持部材
２１    締結部
２１ａ  雌ねじ部
２２    凹部
【図１】
2018199948.tif 000003
【図２】
2018199948.tif 000004
【図３】
2018199948.tif 000005